【事件の表示】
　特願２００１−３５２１８０「記録媒体処理方法、記録媒体処理装置、記録媒体処理装置の制御方法、記録媒体処理装置の制御装置」拒絶査定不服審判事件〔平成１５年　５月２３日出願公開、特開２００３−１５０８００〕について、次のとおり審決する。
【結　論】
　本件審判の請求は、成り立たない。
【理　由】
１．手続きの経緯
　
　本願は、平成１３年１１月１６日に出願された特許出願であって、平成１８年　８月２３日付けで拒絶理由が通知され、これに対して同年１０月２５日付けで手続補正書が提出されたが、平成１９年　３月１６日付けで拒絶査定され、これに対して同年　４月２３日付けで拒絶査定不服審判の請求がなされると共に、同日付で手続補正書が提出されたが、平成２１年１２月　１日付けで拒絶理由が通知され、これに対して平成２２年　２月　５日付けで手続補正書が提出されたものである。
　
２．本願発明について
　
（１）本願の請求項１に係る発明
　
　本願の請求項１に係る発明（以下、「本願発明」という）は、平成２２年　２月　５日付け手続補正書によって補正された明細書の特許請求の範囲の請求項１に記載された事項により特定される次のとおりのものである。
　
「　磁気インク文字を含む可視的な記録がなされた記録媒体を処理する方法であって、
　前記記録媒体を所定の受付部で受け付ける受付ステップと、
　該受け付けた記録媒体の少なくとも磁気インク文字を含む所定部分を表す第１の圧縮度の画像データを得る第１取得ステップと、
　該取得した画像データに基づいて、前記第１の圧縮度よりも圧縮の度合いが大きい第２の圧縮度のための２値化用の閾値を決定することが可能か否かを判定し、前記所定部分の画像で表される情報を、２値化された第２の圧縮度の画像データから読み取り可能か否かを前記閾値の決定の可否によって判定する判定ステップと、
　該判定ステップにて読み取り可能と判定された場合は、前記受け付けた記録媒体の少なくとも一部分を表す前記閾値に基づいて２値化された第２の圧縮度の画像データを得る一方、前記判定ステップにて読み取り不可能と判定された場合は、前記受け付けた記録媒体の少なくとも一部分を表す前記第１の圧縮度の画像データを得る第２取得ステップと、
　前記第２取得ステップで得られた画像データを記録する記録ステップと、を備えることを特徴とする記録媒体処理方法。」
　
（２）引用文献の記載事項及び引用文献発明
　
（引用文献１の記載事項）
　
　当審による先の拒絶の理由において提示された特開平１１−４１４７２号公報（以下、「引用文献１」という。）には、図面とともに以下の記載がある。なお下線は当審において付した。
　
（１ａ）「【
請求項１】画像読取装置が原稿を読み取って出力する画像データを圧縮処理するための画像データ処理装置であって、画像読取装置が出力する画像データに圧縮処理を施すための圧縮処理手段と、原稿の所定部分の画像を読み取るために、画像読取装置をプレスキャンさせるプレスキャン制御手段と、プレスキャン時に画像読取装置が出力する画像データに基づいて、予め定められた圧縮処理方式の中から、画像読取装置から出力される画像データに施すべき圧縮処理方式を選択する選択手段とを含むことを特徴とする画像データ処理装置。
　
（１ｂ）『
【００２３】図２は、圧縮方式選択処理の流れを示すフローチャートである。この圧縮方式選択処理は、スキャナ１から画像データ処理装置２に入力される画像データに第１次圧縮処理および第２次圧縮処理を施すか否かを判別するとともに、第２次圧縮処理における圧縮方式を決定するための処理である。スキャナ１に原稿がセットされて、たとえば画像データ処理装置２に接続されたキーボード（図示せず）から開始信号が入力されると、この圧縮方式選択処理が開始される。
【００２４】なお、以下に説明する圧縮方式選択処理においては、３つのフラグＦ1 ，Ｆ2，Ｆ3 が使用される。このフラグＦ1 ，Ｆ2 ，Ｆ3 は、圧縮方式選択処理の開始時に０にリセットされる。圧縮方式選択処理が開始されると、画像読取部４による原稿のプレスキャンが実行されて、たとえば一定ラインごとに画像が読み取られる（ステップＳ１）。プレスキャンによって得られた画像データ（以下、「プレスキャンデータ」という。）は、画像読取部４からＣＰＵ６を介してＤＲＡＭ７に格納される。このとき、第１圧縮処理部５および第２圧縮処理部８は無効化されており、画像読取部４から出力される画像データは、そのままＤＲＡＭ７に格納される。ＣＰＵ６は、ＤＲＡＭ７に格納された画像データから、各画素の濃度に関するヒストグラムを作成する。
【００２５】次に、ＣＰＵ６は、作成したヒストグラムに基づいて、原稿画像が２値画像であるか多値画像であるかを判断する（ステップＳ２）。たとえば、画像読取部４から出力されるプレスキャンデータが複数ビット数の画像データであっても、黒データおよび白データの数が極端に多く、中間調を表す画像データの数が所定数よりも少ない場合には、原稿画像が２値画像であると判断される。一方、プレスキャンデータ中に、中間調を表す画像データの数が所定数以上存在する場合には、原稿画像は多値画像であると判断される。
【００２６】原稿画像が２値画像であると判断された場合には、ステップＳ２の２値画像か否かの判断が肯定されて、フラグＦ1 が１に書き換えられる（ステップＳ３）。このフラグＦ1 は、原稿画像の本スキャンで得られた画像データ（以下、「本スキャンデータ」という。）に、第１次圧縮処理を施すか否かを示すフラグである。なお、本スキャンとは、原稿画像中の所望の領域の全画像を画像データに変換するために行われるスキャンのことである。
【００２７】フラグＦ1 が１にされると、ＤＲＡＭ７に格納されているプレスキャンデータに第１次圧縮処理が施される（ステップＳ４）。このプレスキャンデータに施される第１次圧縮処理は、ＣＰＵ６によってソフトウェア的に行われる。第１次圧縮処理では、プレスキャンデータの下位ビットが強制的に削除されて、プレスキャンデータが１ビットの画像データに変換される。第１次圧縮処理が施されたプレスキャンデータは、ＤＲＡＭ７に格納される。
　
（１ｃ）「
【００３３】このように、原稿画像が文字画像や網点画像のような２値画像である場合には、本スキャンデータに第１圧縮処理を施すことが決定される。一方、原稿画像が写真画像のような多値画像である場合には、本スキャンデータに第１次圧縮を施さないことが決定される。
ことが決定される。
【００３４】図３は、上述の圧縮方式選択処理に引き続いて実行される画像データ圧縮処理の流れを示すフローチャートである。圧縮方式選択処理が終了すると、ＣＰＵ６は、スキャナ１の画像読取部４を動作させて、原稿画像の本スキャンを実行するとともに（ステップＴ１）、フラグＦ1 の状態を調べる（ステップＴ２）。圧縮方式選択処理においてフラグＦ1 が１に書き換えられている場合には、フラグＦ1 が１か否かの判断が肯定されて、画像読取部４から出力される本スキャンデータが第１圧縮処理部５に与えられる。第１圧縮処理部５は、ＣＰＵ６から入力される制御信号に基づいて、画像読取部４から与えられた本スキャンデータに第１圧縮処理を施す（ステップＴ３）。第１圧縮処理後の本スキャンデータは、第１圧縮処理部５からＣＰＵ６へ順次伝送される。
【００３５】次に、ＣＰＵ６は、フラグＦ2 の状態を調べて、フラグＦ2 が１か否かを判断する（ステップＴ４）。圧縮方式選択処理でフラグＦ2 が１に書き換えられている場合には、ステップＴ４の判断が肯定されて、ＣＰＵ６に入力される本スキャンデータに対して、ランレングス方式による第２次圧縮処理が施される。そして、第２次圧縮処理後の本スキャンデータが、ディスク記憶装置９に順次記憶されて、この画像データ圧縮処理が終了される。
【００３６】また、フラグＦ2 が０である場合には、ステップＴ４の判断が否定されて、第２次圧縮処理は実行されずに、ＣＰＵ６に入力される本スキャンデータが、そのままの状態でディスク記憶装置９に順次格納される。そして、スキャナ２から送られてくる全ての本スキャンデータがディスク記憶装置９に格納されると、この画像データ圧縮処理が終了される。
【００３７】一方、ステップＴ２の判断において、フラグＦ1 が０であると判断されると、画像読取部４から出力される本スキャンデータには、第１圧縮処理部５による第１次圧縮が施されず、そのままＣＰＵ６に与えられる。原稿画像が多値画像である場合に、本スキャンデータから下位ビットを削除するような第１次圧縮処理を施すと、画像出力装置３により画像を出力する際に、圧縮された画像データを元の画像データに復元することができなくなってしまう。そこで、この実施形態では、原稿画像が多値画像である場合には、画像データに第１次圧縮処理が施されない。
【００３８】次に、ＣＰＵ６は、フラグＦ3 の状態を調べて、フラグＦ3 が１か否かを判断する（ステップＴ６）。上述の圧縮方式選択処理でフラグＦ3 が１に書き換えられている場合には、ステップＴ６の判断が肯定されて、ＣＰＵ６に入力される本スキャンデータに対して、ＪＰＥＧ方式による第２次圧縮処理が施される（ステップＳ７）。そして、第２次圧縮処理後の本スキャンデータが、ディスク記憶装置９に順次記憶されて、この画像データ圧縮処理が終了される。
【００３９】また、フラグＦ3 が０である場合には、ステップＴ６の判断が否定されて、ＣＰＵ６に入力される本スキャンデータが、そのままの状態でディスク記憶装置９に順次格納される。そして、スキャナ２から送られてくる全ての本スキャンデータがディスク記憶装置９に格納されると、この画像データ圧縮処理が終了される。
【００４０】以上のように、圧縮方式選択処理でフラグＦ1 が１に書き換えられている場合、すなわち原稿画像が２値画像である場合には、本スキャンデータが１ビットのデータに変換される。これにより、圧縮処理されない本スキャンデータをスキャナ１から画像データ処理装置２（ＣＰＵ６）へ伝送する場合と比べて、本スキャンデータの伝送に要する時間を大幅に削減することができる。そのうえ、画像データ処理装置２で実行される第２次圧縮処理の処理時間を短くすることができる。
【００４１】一方、フラグＦ1 が０のままである場合、すなわち原稿画像が多値画像である場合には、画像読取部４から出力される本スキャンデータは、第１圧縮処理が施されず、そのままＣＰＵ６に与えられる。これにより、多値画像を表す複数ビットの画像データが強制的に１ビットの画像データに変換されてしまい、画像出力装置３により画像を出力する際に、圧縮された画像データを元の複数ビットの画像データに復元することができないといったようなことがない。」
　
（１ｄ）「
【００４９】また、原稿画像が、たとえば多値画像である場合には、プレ圧縮処理が実行されず、画像読取装置から出力される画像データはそのまま画像データ処理装置に与えられる。これにより、多値画像を表す複数ビットの画像データが、たとえば１ビットの画像データに変換されてしまい、画像出力装置により画像を出力する際に、圧縮された画像データを元の複数ビットの画像データに復元することができないといったようなことがない。
　
　上記摘記事項（１ａ）及び上記摘記事項（１ｄ）によれば、引用文献１には、以下の構成が記載されているといえる。
　
（ア）上記摘記事項（１ａ）「【請求項１】画像読取装置が原稿を読み取って出力する画像データを圧縮処理するための画像データ処理装置であって、画像読取装置が出力する画像データに圧縮処理を施すための圧縮処理手段と、原稿の所定部分の画像を読み取るために、画像読取装置をプレスキャンさせるプレスキャン制御手段と、プレスキャン時に画像読取装置が出力する画像データに基づいて、予め定められた圧縮処理方式の中から、画像読取装置から出力される画像データに施すべき圧縮処理方式を選択する選択手段とを含むことを特徴とする画像データ処理装置」の記載によれば、当該「画像データ処理装置」を用いることで、当該「原稿」から読み取った当該「画像データ」を当該「圧縮処理」する方法であって、当該「原稿」を処理する方法が記載されているといえる。
　
　また、上記摘記事項（１ｃ）の「【００３３】このように、原稿画像が文字画像や網点画像のような２値画像である場合には、本スキャンデータに第１圧縮処理を施すことが決定される。一方、原稿画像が写真画像のような多値画像である場合には、本スキャンデータに第１次圧縮を施さないことが決定される。・・・（中略）・・・ことが決定される。」の記載によれば、上記「原稿」は、当該「文字画像」又は当該「写真画像」を含むものと解することができる。
　
　したがって、上記摘記事項（１ａ）及び上記摘記事項（１ｃ）によれば、引用文献１には、「文字画像又は写真画像を含む原稿から読み取った画像データを圧縮処理する方法であって、原稿を処理する方法」が記載されているといえる。
　
（イ）上記摘記事項（１ｂ）の「【００２３】図２は、圧縮方式選択処理の流れを示すフローチャートである。この圧縮方式選択処理は、スキャナ１から画像データ処理装置２に入力される画像データに第１次圧縮処理および第２次圧縮処理を施すか否かを判別するとともに、第２次圧縮処理における圧縮方式を決定するための処理である。スキャナ１に原稿がセットされて、たとえば画像データ処理装置２に接続されたキーボード（図示せず）から開始信号が入力されると、この圧縮方式選択処理が開始される。」の記載によれば、上記（ア）の「原稿を処理する方法」は、当該「原稿」を当該「スキャナ」にて「セット」するステップを備えるものと解することができる。
　
　したがって、上記（ア）及び上記摘記事項（１ｂ）によれば、引用文献１には、「上記原稿を処理する方法が、前記原稿をスキャナにてセットするステップを備える」ことが記載されているといえる。
　
（ウ）上記摘記事項（１ｂ）の『【００２４】なお、以下に説明する圧縮方式選択処理においては、３つのフラグＦ1 ，Ｆ2，Ｆ3 が使用される。このフラグＦ1 ，Ｆ2 ，Ｆ3 は、圧縮方式選択処理の開始時に０にリセットされる。圧縮方式選択処理が開始されると、画像読取部４による原稿のプレスキャンが実行されて、たとえば一定ラインごとに画像が読み取られる（ステップＳ１）。プレスキャンによって得られた画像データ（以下、「プレスキャンデータ」という。）は、画像読取部４からＣＰＵ６を介してＤＲＡＭ７に格納される。このとき、第１圧縮処理部５および第２圧縮処理部８は無効化されており、画像読取部４から出力される画像データは、そのままＤＲＡＭ７に格納される。ＣＰＵ６は、ＤＲＡＭ７に格納された画像データから、各画素の濃度に関するヒストグラムを作成する。』の記載によれば、上記（ア）の「原稿を処理する方法」は、上記（イ）の「セット」された「原稿」について、上記（イ）の「スキャナ」の当該「画像読取部」により当該「一定ラインごと」に「読み取られ」た当該「画像」を当該「プレスキャンデータ」として当該「ＤＲＡＭ」に「格納」する当該「プレスキャン」の「ステップ」を備えるものと解することができる。
　
　したがって、上記（ア）、上記（イ）及び上記摘記事項（１ｂ）によれば、引用文献１には、「上記原稿を処理する方法が、該セットされた原稿についてスキャナにより一定ラインごとに読み取られた画像をプレスキャンデータとしてＤＲＡＭに格納するプレスキャンのステップを備える」ことが記載されているといえる。
　
（エ）上記摘記事項（１ｂ）の「【００２５】次に、ＣＰＵ６は、作成したヒストグラムに基づいて、原稿画像が２値画像であるか多値画像であるかを判断する（ステップＳ２）。たとえば、画像読取部４から出力されるプレスキャンデータが複数ビット数の画像データであっても、黒データおよび白データの数が極端に多く、中間調を表す画像データの数が所定数よりも少ない場合には、原稿画像が２値画像であると判断される。一方、プレスキャンデータ中に、中間調を表す画像データの数が所定数以上存在する場合には、原稿画像は多値画像であると判断される。【００２６】原稿画像が２値画像であると判断された場合には、ステップＳ２の２値画像か否かの判断が肯定されて、フラグＦ1 が１に書き換えられる（ステップＳ３）。このフラグＦ1 は、原稿画像の本スキャンで得られた画像データ（以下、「本スキャンデータ」という。）に、第１次圧縮処理を施すか否かを示すフラグである。なお、本スキャンとは、原稿画像中の所望の領域の全画像を画像データに変換するために行われるスキャンのことである。」の記載及び上記摘記事項（１ｃ）の「【００３４】図３は、上述の圧縮方式選択処理に引き続いて実行される画像データ圧縮処理の流れを示すフローチャートである。圧縮方式選択処理が終了すると、ＣＰＵ６は、スキャナ１の画像読取部４を動作させて、原稿画像の本スキャンを実行するとともに（ステップＴ１）、フラグＦ1 の状態を調べる（ステップＴ２）。圧縮方式選択処理においてフラグＦ1 が１に書き換えられている場合には、フラグＦ1 が１か否かの判断が肯定されて、画像読取部４から出力される本スキャンデータが第１圧縮処理部５に与えられる。第１圧縮処理部５は、ＣＰＵ６から入力される制御信号に基づいて、画像読取部４から与えられた本スキャンデータに第１圧縮処理を施す（ステップＴ３）。第１圧縮処理後の本スキャンデータは、第１圧縮処理部５からＣＰＵ６へ順次伝送される。・・・（中略）・・・【００３７】一方、ステップＴ２の判断において、フラグＦ1 が０であると判断されると、画像読取部４から出力される本スキャンデータには、第１圧縮処理部５による第１次圧縮が施されず、そのままＣＰＵ６に与えられる。原稿画像が多値画像である場合に、本スキャンデータから下位ビットを削除するような第１次圧縮処理を施すと、画像出力装置３により画像を出力する際に、圧縮された画像データを元の画像データに復元することができなくなってしまう。そこで、この実施形態では、原稿画像が多値画像である場合には、画像データに第１次圧縮処理が施されない。」の記載によれば、上記（ア）の「原稿を処理する方法」は、上記（ウ）の「ＤＲＡＭに格納」された「プレスキャンデータ」に基づいて、当該「２値画像であるか多値画像」である当該「原稿画像」に対して当該「第１次圧縮処理」が可能か否かを判定し、当該「元の画像データ」に対応する上記（ウ）の「ＤＲＡＭに格納」された「プレスキャンデータ」を当該「第１次圧縮処理」された「画像データ」から当該「復元」可能か否かについて、当該「原稿画像」が当該「２値画像」であるか当該「多値画像」であるかによって判定するステップを備えるものと解することができる。
　
　そして、上記摘記事項（１ｂ）の「【００２７】フラグＦ1 が１にされると、ＤＲＡＭ７に格納されているプレスキャンデータに第１次圧縮処理が施される（ステップＳ４）。このプレスキャンデータに施される第１次圧縮処理は、ＣＰＵ６によってソフトウェア的に行われる。第１次圧縮処理では、プレスキャンデータの下位ビットが強制的に削除されて、プレスキャンデータが１ビットの画像データに変換される。第１次圧縮処理が施されたプレスキャンデータは、ＤＲＡＭ７に格納される。」の記載によれば、上記「第１次圧縮処理」は、上記（ウ）の「ＤＲＡＭに格納」された「プレスキャンデータ」に対して、当該「下位ビットが強制的に削除」を行う２値化の処理であるものと解することができる。
　
　したがって、上記（ア）、上記（ウ）、上記摘記事項（１ｂ）及び上記摘記事項（１ｃ）によれば、引用文献１には、「上記原稿を処理する方法が、該ＤＲＡＭに格納されたプレスキャンデータに基づいて、２値画像であるか多値画像である原稿画像に対して２値化の処理である第１次圧縮処理を行えるか否かを判定し、当該ＤＲＡＭに格納されたプレスキャンデータを第１次圧縮処理された画像データから復元可能か否かについて、前記原稿画像が２値画像であるか多値画像であるかによって判定するステップを備える」ことが記載されているといえる。
　
（オ）上記摘記事項（１ｂ）の「【００２４】・・・（中略）・・・ＣＰＵ６は、ＤＲＡＭ７に格納された画像データから、各画素の濃度に関するヒストグラムを作成する。【００２５】次に、ＣＰＵ６は、作成したヒストグラムに基づいて、原稿画像が２値画像であるか多値画像であるかを判断する（ステップＳ２）。たとえば、画像読取部４から出力されるプレスキャンデータが複数ビット数の画像データであっても、黒データおよび白データの数が極端に多く、中間調を表す画像データの数が所定数よりも少ない場合には、原稿画像が２値画像であると判断される。一方、プレスキャンデータ中に、中間調を表す画像データの数が所定数以上存在する場合には、原稿画像は多値画像であると判断される。」の記載、上記摘記事項（１ｃ）の「【００３４】図３は、上述の圧縮方式選択処理に引き続いて実行される画像データ圧縮処理の流れを示すフローチャートである。圧縮方式選択処理が終了すると、ＣＰＵ６は、スキャナ１の画像読取部４を動作させて、原稿画像の本スキャンを実行するとともに（ステップＴ１）、フラグＦ1 の状態を調べる（ステップＴ２）。圧縮方式選択処理においてフラグＦ1 が１に書き換えられている場合には、フラグＦ1 が１か否かの判断が肯定されて、画像読取部４から出力される本スキャンデータが第１圧縮処理部５に与えられる。第１圧縮処理部５は、ＣＰＵ６から入力される制御信号に基づいて、画像読取部４から与えられた本スキャンデータに第１圧縮処理を施す（ステップＴ３）。第１圧縮処理後の本スキャンデータは、第１圧縮処理部５からＣＰＵ６へ順次伝送される。・・・（中略）・・・【００３７】一方、ステップＴ２の判断において、フラグＦ1 が０であると判断されると、画像読取部４から出力される本スキャンデータには、第１圧縮処理部５による第１次圧縮が施されず、そのままＣＰＵ６に与えられる。原稿画像が多値画像である場合に、本スキャンデータから下位ビットを削除するような第１次圧縮処理を施すと、画像出力装置３により画像を出力する際に、圧縮された画像データを元の画像データに復元することができなくなってしまう。そこで、この実施形態では、原稿画像が多値画像である場合には、画像データに第１次圧縮処理が施されない。」の記載及び上記摘記事項（１ｄ）の「【００４９】また、原稿画像が、たとえば多値画像である場合には、プレ圧縮処理が実行されず、画像読取装置から出力される画像データはそのまま画像データ処理装置に与えられる。これにより、多値画像を表す複数ビットの画像データが、たとえば１ビットの画像データに変換されてしまい、画像出力装置により画像を出力する際に、圧縮された画像データを元の複数ビットの画像データに復元することができないといったようなことがない。」の記載によれば、上記（ア）の「原稿を処理する方法」は、上記（エ）の「判定するステップ」にて当該「復元」可能と判定された場合は、上記（エ）の２値化の処理である当該「第１次圧縮処理」による「画像データ」を得る一方、上記（エ）の「判定するステップ」にて当該「復元」不可能と判定された場合は、上記（イ）の「スキャナ」に「セット」された「原稿」に対応する当該「出力される画像データ」を得るス���ップを備えるものと解することができる。
　
　したがって、上記（ア）、上記（イ）、上記（エ）、上記摘記事項（１ｂ）、上記摘記事項（１ｃ）及び上記摘記事項（１ｄ）によれば、引用文献１には、「上記原稿を処理する方法が、該判定するステップにて復元可能と判定された場合は、２値化処理である第１次圧縮処理による画像データを得る一方、前記判定するステップにて復元不可能と判定された場合は、前記スキャナにセットされた原稿に対応する画像データを得るステップを備える」ことが記載されているといえる。
　
（カ）上記摘記事項（１ｃ）の「【００３６】また、フラグＦ2 が０である場合には、ステップＴ４の判断が否定されて、第２次圧縮処理は実行されずに、ＣＰＵ６に入力される本スキャンデータが、そのままの状態でディスク記憶装置９に順次格納される。そして、スキャナ２から送られてくる全ての本スキャンデータがディスク記憶装置９に格納されると、この画像データ圧縮処理が終了される。」の記載及び引用文献１の【図３】の「第１次圧縮処理」を含むフローに関する記載によれば、当該「そのままの状態」は、「第１次圧縮処理」を行ったままの状態の誤記であるものである。
　
　これを踏まえて、上記摘記事項（１ｃ）の「【００３９】また、フラグＦ3 が０である場合には、ステップＴ６の判断が否定されて、ＣＰＵ６に入力される本スキャンデータが、そのままの状態でディスク記憶装置９に順次格納される。そして、スキャナ２から送られてくる全ての本スキャンデータがディスク記憶装置９に格納されると、この画像データ圧縮処理が終了される。」の記載を勘案すると、上記（ア）の「原稿を処理する方法」は、上記（オ）の「画像データを得るステップ」で得られた「画像データ」を当該「記憶装置」に記憶するステップを備えるものと解することができる。
　
　したがって、上記（ア）、上記摘記事項（１ｃ）及び引用文献の【図３】によれば、引用文献１には、「上記原稿を処理する方法が、前記画像データを得るステップで得られた画像データを記憶するステップを備える」ことが記載されているといえる。
　
（引用文献１発明）
　
　したがって、上記（ア）乃至上記（カ）を考慮して、上記摘記事項（１ａ）乃至上記摘記事項（１ｄ）の記載を総合すると、引用文献１には、次の発明（以下、「引用文献１発明」という。）が記載されているといえる。
　
「　文字画像又は写真画像を含む原稿から読み取った画像データを圧縮処理する方法であって、
　前記原稿をスキャナにてセットするステップと、
　該セットされた原稿についてスキャナにより一定ラインごとに読み取られた画像をプレスキャンデータとしてＤＲＡＭに格納するプレスキャンのステップと、
　該ＤＲＡＭに格納されたプレスキャンデータに基づいて、２値画像であるか多値画像である原稿画像に対して２値化の処理である第１次圧縮処理を行えるか否かを判定し、当該ＤＲＡＭに格納されたプレスキャンデータを第１次圧縮処理された画像データから復元可能か否かについて、前記原稿画像が２値画像であるか多値画像であるかによって判定するステップと、
　該判定するステップにて復元可能と判定された場合は、２値化処理である第１次圧縮処理による画像データを得る一方、前記判定するステップにて復元不可能と判定された場合は、前記スキャナにセットされた原稿に対応する画像データを得るステップと、
　前記画像データを得るステップで得られた画像データを記憶するステップと、を備えることを特徴とする原稿を処理する方法。」
　
（３）本願発明と引用文献１発明との対比
　
　本願発明と引用文献１発明とを対比する。
　
　引用文献１発明の「前記原稿をスキャナにてセットするステップ」は、当該「スキャナ」が記録媒体を受け付けるものであるから、本願発明の「前記記録媒体を所定の受付部で受け付ける受付ステップ」に相当する。
　
　また、引用文献１発明の「前記画像データを得るステップで得られた画像データを記憶するステップ」は、本願発明の「前記第２取得ステップで得られた画像データを記録する記録ステップ」に相当する。
　
　また、引用文献１発明の「原稿を処理する方法」は、当該「原稿」が視覚を通じて認識できる像情報を記録する機能を備えているから、本願発明の「記録媒体処理方法」に相当する。
　
　そして、本願発明の「磁気インク文字を含む可視的な記録がなされた記録媒体を処理する方法」と引用文献１発明の「文字画像又は写真画像を含む原稿から読み取った画像データを圧縮処理する方法」とは、後記の点で相違するものの、当該「原稿」が視覚を通じて認識できる像情報を記録する機能を備えているから、共に「画像を含む可視的な記録がなされた記録媒体を処理する方法」である点で共通する。
　
　また、本願発明の「該受け付けた記録媒体の少なくとも磁気インク文字を含む所定部分を表す第１の圧縮度の画像データを得る第１取得ステップ」と引用文献１発明の「該セットされた原稿についてスキャナにより一定ラインごとに読み取られた画像をプレスキャンデータとしてＤＲＡＭに格納するプレスキャンのステップ」とは、後記の点で相違するものの、当該「ＤＲＡＭに格納」される当該「スキャナにより一定ラインごとに読み取られた画像」の当該「プレスキャンデータ」は当該「スキャナ」においてデジタル化されており、当該「スキャナ」においてデジタル化される処理は検出された連続的な値である光量を離散的な値に圧縮させる処理であり、また、当該「一定ラインごとに読み取られた画像」は、当該「原稿」の所定部分といえるから、共に「該受け付けた記録媒体の所定部分を表す第１の圧縮度の画像データを得る第１取得ステップ」である点で共通する。
　
　また、本願発明の「該取得した画像データに基づいて、前記第１の圧縮度よりも圧縮の度合いが大きい第２の圧縮度のための２値化用の閾値を決定することが可能か否かを判定し、前記所定部分の画像で表される情報を、２値化された第２の圧縮度の画像データから読み取り可能か否かを前記閾値の決定の可否によって判定する判定ステップ」と引用文献１発明の「該ＤＲＡＭに格納されたプレスキャンデータに基づいて、２値画像であるか多値画像である原稿画像に対して２値化の処理である第１次圧縮処理を行えるか否かを判定し、当該ＤＲＡＭに格納されたプレスキャンデータを第１次圧縮処理された画像データから復元可能か否かについて、前記原稿画像が２値画像であるか多値画像であるかによって判定するステップ」とは、後記の点で相違するものの、当該「２値化の処理である第１次圧縮処理」は、第１の圧縮度の画像データに対してさらに圧縮を行う処理であり、また、当該「当該ＤＲＡＭに格納されたプレスキャンデータを第１次圧縮処理された画像データから復元可能か否か」の「判定」は、当該「２値化の処理である第１次圧縮処理」を行った後でも、当該「第１次圧縮処理された画像データ」から「当該ＤＲＡＭに格納されたプレスキャンデータ」を生成したときに、画像出力装置上で視覚を通じて認識できるような原稿の情報が含まれるか否かの判定を行うものであるから、共に「該取得した画像データに基づいて、前記第１の圧縮度よりも圧縮の度合いが大きい第２の圧縮度による処理が可能か否かを判定し、前記所定部分の画像で表される情報を、２値化された第２の圧縮度の画像データから認識可能か否かを判定する判定ステップ」である点で共通する。
　
　また、本願発明の「該判定ステップにて読み取り可能と判定された場合は、前記受け付けた記録媒体の少なくとも一部分を表す前記閾値に基づいて２値化された第２の圧縮度の画像データを得る一方、前記判定ステップにて読み取り不可能と判定された場合は、前記受け付けた記録媒体の少なくとも一部分を表す前記第１の圧縮度の画像データを得る第２取得ステップ」と引用文献１発明の「該判定するステップにて復元可能と判定された場合は、２値化処理である第１次圧縮処理による画像データを得る一方、前記判定するステップにて復元不可能と判定された場合は、前記スキャナにセットされた原稿に対応する画像データを得るステップ」とは、後記の点で相違するものの、共に「該判定ステップにて認識可能と判定された場合は、前記受け付けた記録媒体の少なくとも一部分から得られる情報に基づいて２値化された第２の圧縮度の画像データを得る一方、前記判定ステップにて認識不可能と判定された場合は、前記受け付けた記録媒体の少なくとも一部分を表す前記第１の圧縮度の画像データを得る第２取得ステップ」である点で共通する。
　
　したがって、両者は、
　
（一致点）
　
「画像を含む可視的な記録がなされた記録媒体を処理する方法であって、
　前記記録媒体を所定の受付部で受け付ける受付ステップと、
　該受け付けた記録媒体の所定部分を表す第１の圧縮度の画像データを得る第１取得ステップと、
　該取得した画像データに基づいて、前記第１の圧縮度よりも圧縮の度合いが大きい第２の圧縮度による処理が可能か否かを判定し、前記所定部分の画像で表される情報を、２値化された第２の圧縮度の画像データから認識可能か否かを判定する判定ステップと、
　該判定ステップにて認識可能と判定された場合は、前記受け付けた記録媒体の少なくとも一部分から得られる情報に基づいて２値化された第２の圧縮度の画像データを得る一方、前記判定ステップにて認識不可能と判定された場合は、前記受け付けた記録媒体の少なくとも一部分を表す前記第１の圧縮度の画像データを得る第２取得ステップと、
　前記第２取得ステップで得られた画像データを記録する記録ステップと、を備えることを特徴とする記録媒体処理方法。」
　
である点で一致し、以下の点で相違する。
　
（相違点１）
　
　本願発明では、記録媒体が磁気インク文字を含み、そのため、
　所定部分が、少なくとも磁気インク文字を含み、
　判定ステップが、当該所定部分で表される情報について、読み取り可能か否かを判定し、
　第２取得ステップが、当該判定ステップにて読み取り可能と判定された場合と読み取り不可能と判定された場合に分けて画像データを取得するのに対し、
　
　引用文献１発明では、記録媒体が、文字画像又は写真画像を含むことから、必ずしも文字を含んでおらず、そのため、
　所定部分が、当該文字である少なくとも磁気インク文字を含んでおらず、
　判定ステップが、当該所定部分で表される情報について、読み取り可能か否かではなく、復元可能か否かを判定し、
　第２取得ステップが、当該判定ステップにて復元可能と判定された場合と復元不可能と判定された場合に分けて画像データを取得する点。
　
（相違点２）
　
　本願発明は、第２の圧縮度のための２値化用の閾値を決定することが可能か否かを判定し、そのため、
　判定ステップが、前記閾値の決定の可否によって判定するものであり、
　第２取得ステップが、前記閾値に基づいて第２の圧縮度の画像データを得るのに対し、
　
　引用文献１発明は、第２の圧縮度による処理が可能か否かを判定するものの、それが、第２の圧縮度のための２値化用の閾値を決定することが可能か否かにより判定するものではなく、そのため、
　判定ステップが、前記第２の圧縮度による処理が可能か否かによって判定するものであり、
　第２取得ステップが、第２の圧縮度の画像データを得るものの、それが、閾値を決定することが可能か否かの判定による閾値に基づいて得るものではない点。
　
（４）相違点についての判断
　
（相違点１について）
　
　例えば、当審により先の拒絶の理由において提示した特開平１−１９１９７６号公報（以下、「引用文献２」という。）にみられるように、磁気インク文字の画像データの性質に応じて、２値化よりも低い圧縮度である数段階グレイレベルにより当該画像データを圧縮してから記録することは、周知事項である。
　
　してみると、引用文献１発明において、上記周知事項を適用し、記録媒体が磁気インク文字を含むように構成し、当該記録媒体の画像データの性質に応じて、２値化よりも低い圧縮度である数段階グレイレベルにより当該画像データを圧縮してから記憶することは、当業者であれば適宜になし得るものである。
　
　そして、引用文献１発明において、上記周知事項を適用し、記録媒体が磁気インク文字を含むように構成し、当該記録媒体の画像データの性質に応じて、２値化よりも低い圧縮度である数段階グレイレベルにより当該画像データを圧縮してから記憶するのであれば、そのため、所定部分が、少なくとも磁気インク文字を含み、判定ステップが、当該所定部分で表される情報を読み取り可能か否かを判定し、第２取得ステップが、当該判定ステップにて読み取り可能と判定された場合と読み取り不可能と判定された場合に分けて画像データを取得することは、当業者であれば適宜になし得る設計的事項にすぎないものである。
　
　したがって、相違点１に係る本願発明の構成は、引用文献１発明及び引用文献２にみられる周知事項に基づいて、当業者が容易に想到し得たものである。
　
（相違点２について）
　
　例えば、特開平５−３０７６４０号公報（段落【０００２】、段落【０００５】及びその関連箇所を参照。）にみられるように、しきい値を用いて文字画像を２値化して圧縮するものにおいて、その圧縮のための当該２値化しきい値を一意に決定できるか否かの判定を行うことは、周知技術である。
  
　してみると、引用文献１発明において、上記周知技術を適用し、第２の圧縮度による処理が可能か否かを判定するために、第２の圧縮度のための２値化用の閾値を決定することが可能か否かを判定することは、当業者であれば適宜になし得る設計的事項にすぎないものである。
　
　そして、引用文献１発明において、第２の圧縮度のための２値化用の閾値を決定することが可能か否かを判定するのであれば、そのため、判定ステップが、前記閾値の決定の可否によって判定するものであり、第２取得ステップが、記録媒体の少なくとも一部分を表す前記閾値に基づいて第２の圧縮度の画像データを得ることは、当業者であれば当然なし得るものである。
　
　したがって、相違点２に係る本願発明の構成は、引用文献１発明及び周知技術に基づいて、当業者が容易に想到し得たものである。
　
　そして、本願発明の作用効果も、引用文献１発明、引用文献２にみられる周知事項及び周知技術から当業者が予測できる範囲のものである。
　
（５）結論
　
　よって、本願発明は、引用文献１発明、引用文献２にみられる周知事項及び周知技術に基づいて、当業者が容易に発明をすることができたものであるから、特許法第２９条第２項の規定により特許を受けることができないものである。
　
３．むすび
　
　上記のとおり、本願の請求項１に係る発明は、引用文献１発明、引用文献２にみられる周知事項及び周知技術に基づいて、当業者が容易に発明をすることができたものであるから、特許法第２９条第２項の規定により特許を受けることができないため、本願の他の請求項に係る発明について検討するまでもなく、本願は拒絶すべきものである。
　
　よって，結論のとおり審決する。